(57)【要約】【目的】有害光の進入を許す径方向への貫通切欠が存在する内筒と；該内筒の外周に位置し、該内筒と相対回転する外筒と；を有するレンズ鏡筒の遮光構造において、偏心誤差を考慮する必要がなく、かつ回転抵抗の増加も僅かですむレンズ鏡筒の遮光構造を得る。【構成】内筒に、貫通切欠より光軸方向前方に位置させて一体に内方フランジ壁を設け、この内方フランジ壁の内面に、光軸中心の筒状環状溝を形成する一方、外筒の内周面に、径方向のフランジ状環状溝を形成し、この筒状環状溝とフランジ状環状溝にそれぞれ、光軸中心の筒状部と該筒状部の後端部から径方向に延びるフランジ部とを有する断面略Ｌ字状をなす遮光リングの該筒状部先端と該フランジ部先端をそれぞれ相対移動自在に挿入したレンズ鏡筒の遮光構造。【選択図】　図３
2004133091.tif 000002
【特許請求の範囲】
【請求項１】
有害光の進入を許す径方向への貫通切欠が存在する内筒と；該内筒の外周に位置し、該内筒と相対回転する外筒と；
を有するレンズ鏡筒の遮光構造であって、
上記内筒に、上記貫通切欠より光軸方向前方に位置させて一体に内方フランジ壁を設け、
この内方フランジ壁の内面に、光軸中心の筒状環状溝を形成し、
上記外筒の内周面に、径方向のフランジ状環状溝を形成し、
光軸中心の筒状部と該筒状部の後端部から径方向に延びるフランジ部とを有する断面略Ｌ字状をなす遮光リングの上記筒状部先端を内筒の上記筒状環状溝に相対移動自在に挿入し、上記フランジ部先端を外筒の上記フランジ状環状溝に相対移動自在に挿入したことを特徴とするレンズ鏡筒の遮光構造。
【請求項２】
請求項１記載のレンズ鏡筒の遮光構造において、内筒の内方フランジ壁は、該内筒とは別部材からなる端面部材であり、該内筒の先端面に固定されているレンズ鏡筒の遮光構造。
【発明の詳細な説明】
【０００１】
【技術分野】
本発明は、相対回転する内筒と外筒を有し、内筒に有害光の進入を許す貫通切欠が存在するレンズ鏡筒の遮光構造に関する。
【０００２】
【従来技術及びその問題点】
レンズ鏡筒においては、このような関係の内筒と外筒を設けることが多い。この内筒と外筒間の従来の遮光構造は、内筒と外筒との先端部側に、光の侵入を防止する何らかの迷路（ラビリンス）を設けるのが普通であった。しかし、相対回転する内筒と外筒との間に迷路を形成すると、偏心誤差等を考慮してクリアランスを大きく必要とするため大径化し、あるいは回転抵抗が大きくなるという問題があった。
【０００３】
【発明の目的】
本発明は、以上の問題意識に基づき、有害光の進入を許す径方向への貫通切欠が存在する内筒と；該内筒の外周に位置し、該内筒と相対回転する外筒と；を有するレンズ鏡筒の遮光構造において、偏心誤差を考慮する必要がなく、かつ回転抵抗の増加も僅かですむレンズ鏡筒の遮光構造を得ることを目的とする。
【０００４】
【発明の概要】
本発明は、有害光の進入を許す径方向への貫通切欠が存在する内筒と；該内筒の外周に位置し、該内筒と相対回転する外筒と；を有するレンズ鏡筒の遮光構造であって、内筒に、貫通切欠より光軸方向前方に位置させて一体に内方フランジ壁を設け、この内方フランジ壁の内面に、光軸中心の筒状環状溝を形成する一方、外筒の内周面に、径方向のフランジ状環状溝を形成し、この筒状環状溝とフランジ状環状溝にそれぞれ、光軸中心の筒状部と該筒状部の後端部から径方向に延びるフランジ部とを有する断面略Ｌ字状をなす遮光リングの該筒状部先端と該フランジ部先端をそれぞれ相対移動自在に挿入したことを特徴としている。
【０００５】
内筒の内方フランジ壁は、該内筒とは別部材からなる端面部材とし、該内筒の先端面に固定することが可能である。
【０００６】
【発明の実施形態】
図は、本発明による遮光構造を備えたレンズ鏡筒の要部を示している。カメラカバー１０内に固定される固定環１１には、その内周面に雌ヘリコイド１１ａと光軸と平行な直進案内溝１１ｂが形成されている。この固定環１１の内側には、雌ヘリコイド１１ａと螺合する雄ヘリコイド１２ａを有するヘリコイド環１２が位置し、このヘリコイド環１２の内側には、直進案内溝１１ｂに係合する直進案内突起１３ａを後端部に有する第一直進案内環１３が位置している。このヘリコイド環１２と第一直進案内環１３は周方向溝１２ｂと突起１３ｂにより、相対回転のみ自在に光軸方向には一緒に移動するように結合されている。従って、ヘリコイド環１２に回転が与えられると、ヘリコイド環１２は回転しながら光軸方向に進退し、第一直進案内環１３は回転せずにヘリコイド環１２と一緒に光軸方向に移動する。
【０００７】
第一直進案内環１３の内周面には、雌ヘリコイド１３ｃと光軸と平行な直進案内溝１３ｄとが形成されており、雌ヘリコイド１３ｃには、第一直進案内環１３の内側に位置するカム環１４の後端部外周の雄ヘリコイド１４ａが螺合している。ヘリコイド環１２とカム環１４とは、光軸方向の相対移動は自在で、図示しない回転伝達機構により、回転のみ伝達されるように結合されている。また、第一直進案内環１３の直進案内溝１３ｄには、カム環１４の内側に位置する第二直進案内環１５の後端部に設けた直進案内突起１５ａが嵌まっている。カム環１４と第二直進案内環１５とは、相対回転は自在で光軸方向には一緒に移動するように結合されている。
【０００８】
カム環１４の内周面には、雌ヘリコイド１４ｂと光軸と平行な回転伝達溝１４ｃとが形成されている。回転伝達溝１４ｃには、カム環１４の内側に位置する駆動環１６の後端部に形成した回転伝達突起１６ａが嵌まり、雌ヘリコイド１４ｂには、駆動環１６の内側に位置する１群移動環１７の後端部に設けた雄ヘリコイド１７ａが螺合している。駆動環１６と１群移動環１７とは、相対回転は自在で光軸方向には一緒に移動するように結合されている。また、１群移動環１７は、第二直進案内環１５によって光軸方向の直進移動のみ可能に案内されている。
【０００９】
従って、以上のレンズ鏡筒は、ヘリコイド環１２の回転がカム環１４に伝達されると、直進案内突起１３ａと雄ヘリコイド１４ａの関係でカム環１４が回転しながら光軸方向に進退し、カム環１４の回転はさらに回転伝達溝１４ｃと回転伝達突起１６ａの関係で駆動環１６に伝達される。そして、駆動環１６と光軸方向には一緒に移動する１群移動環１７は、第二直進案内環１５によって直進案内されていて、かつカム環１４とヘリコイド結合しているので、光軸方向に直進移動する。１群移動環１７は、第１レンズ群Ｌ１を支持しており、第２、第３レンズＬ２、Ｌ３は、カム環１４の内周面に形成されたカム溝を含む図示しないカム機構により、１群移動環１７の回転及び光軸方向移動に伴い、光軸方向に進退する。
【００１０】
本実施形態は、例えば以上のズームレンズ鏡筒において、相対回転する駆動環（外筒）１６と１群移動環（内筒）１７の間から侵入した光が、鏡筒内部に有害光（撮影レンズを通過せずに結像面に達する光）として侵入するのを防ぐ遮光構造を特徴としている。１群移動環１７は、図３に示すように、逃げ溝１７ｂ等の径方向の貫通切欠を有しており、駆動環１６と１群移動環１７との間からの光の侵入が問題となる。
【００１１】
レンズ鏡筒の端面外観を構成する端面部材１７Ｘは、１群移動環（内筒）１７の先端部に接着固定される内方フランジ壁部材である。この端面部材１７Ｘには、図４に拡大して示すように、その内面（１群移動環１７側の面）に光軸中心の筒状環状溝１７ｄが形成されている。一方、駆動環（外筒）１６の内周面には、光軸直交平面内に位置するフランジ状環状溝１６ｄが形成されており、これらの筒状環状溝１７ｄとフランジ状環状溝１６ｄに跨らせて遮光リング２０が挿入されている。遮光リング２０は、光軸中心の筒状部２０ａと、該筒状部２０ａの後端部から径方向に延びるフランジ部２０ｂとを有する断面略Ｌ字状をなしていて、筒状部２０ａが筒状環状溝１７ｄに相対移動自在に挿入され、フランジ部２０ｂがフランジ状環状溝１６ｄに相対移動自在に挿入されている。遮光リング２０は、筒状部２０ａとフランジ部２０ｂを筒状環状溝１７ｄとフランジ状環状溝１６ｄに挿入できる程度の弾性変形可能な合成樹脂材料からなっている。
【００１２】
上記構成の本遮光構造によると、駆動環１６と１群移動環１７との間から入ろうとする有害光の侵入を確実に遮光リング２０によって防ぐことができる。特に、遮光リング２０の筒状部２０ａは１群移動環１７の筒状環状溝１７ｄに相対移動自在に嵌まり、フランジ部２０ｂは駆動環１６のフランジ状環状溝１６ｄに相対移動自在に嵌まっているので、両者のクリアランスを大きくする必要がない。つまり、筒状環状溝１７ｄ（フランジ状環状溝１６ｄ）に対するフランジ状環状溝１６ｄ（筒状環状溝１７ｄ）の偏心が存在したとしても、筒状環状溝１７ｄの偏心はフランジ状環状溝１６ｄに対するフランジ部２０ｂの相対移動で吸収し、フランジ状環状溝１６ｄの偏心は筒状環状溝１７ｄに対する筒状部２０ａの相対移動で吸収する関係が成立するため、クリアランスを大きくすることなく有害光の侵入を防止することができる。また、遮光リング２０のフランジ部２０ｂはフランジ状環状溝１６ｄに対して摺動自在であり、筒状部２０ａは筒状環状溝１７ｄに対して摺動自在であるため、駆動環１６と１群移動環１７との回転抵抗が特に増大することもない。回動抵抗が駆動環１６の回転位置によって変化する角度依存性もない。
【００１３】
以上の実施形態では、１群移動環１７と端面部材１７Ｘとを別部材としたが、両者は一体の部材としてもよい。また、駆動環１６と１群移動環１７は、相対回転自在な外筒と内筒の一例として示したもので、本発明はレンズ鏡筒の全体構成に拘わらず、広く相対回転自在な外筒と内筒との間の遮光構造として適用することができる。
【００１４】
【発明の効果】
本発明によれば、相対回転する内筒と外筒を有し、内筒に有害光の進入を許す貫通切欠が存在するレンズ鏡筒において、偏心誤差を考慮する必要がなく、かつ回転抵抗の増加も僅かですむ遮光構造を得ることができる。
【図面の簡単な説明】
【図１】本発明によるレンズ鏡筒の遮光構造の一実施形態を示す沈胴状態の上半断面図である。
【図２】同繰出状態の上半断面図である。
【図３】本発明による遮光構造に主に関連する部材の分解斜視図である。
【図４】本発明による遮光構造の要部の拡大断面図である。
【符号の説明】
１０　カメラカバー
１１　固定環
１１ａ　雌ヘリコイド
１１ｂ　直進案内溝
１２　ヘリコイド環
１２ａ　雄ヘリコイド
１２ｂ　周方向溝
１３　第一直進案内環
１３ａ　直進案内突起
１３ｂ　突起
１３ｃ　雌ヘリコイド
１３ｄ　直進案内溝
１４　カム環
１４ａ　雄ヘリコイド
１４ｂ　雌ヘリコイド
１４ｃ　回転伝達溝
１５　第二直進案内環
１５ａ　直進案内突起
１６　駆動環（外筒）
１６ａ　回転伝達突起
１６ｄ　フランジ状環状溝
１７　１群移動環（内筒）
１７ａ　雄ヘリコイド
１７ｂ　逃げ溝
１７ｄ　筒状環状溝
１７Ｘ　端面部材（内方フランジ壁）
２０　遮光リング
２０ａ　筒状部
２０ｂ　フランジ部
【図１】
2004133091.tif 000003
【図２】
2004133091.tif 000004
【図３】
2004133091.tif 000005
【図４】
2004133091.tif 000006